(57)【要約】      （修正有）【課題】暗い場所でも使用でき、便器だけではなく、空間を脱臭することが出来る衛生ＢＯＸを提供する。【解決手段】物品や人が出入りするドアを付設したＢＯＸに、人体感知センサー及び／またはドアスイッチを設けＢＯＸ内を消臭・殺菌力を有する酸化チタンをコーテングすると共に、紫外線を照射するランプを設け、タイマーにて照射時間を設定してなることを特徴とする。【選択図】図１
0003160509.tif 000002
【実用新案登録請求の範囲】
【請求項１】
物品や人が出入りするドアを付設したＢＯＸに人体感知センサー及び／またはドアスイッチを設け、ＢＯＸ内を消臭・殺菌能力を有する酸化チタン等をコーテングすると共に、紫外線等を照射するランプ類を設け、タイマー等にて照射時間を設定してなることを特徴とする衛生ＢＯＸ。
【請求項２】
ＢＯＸが、物置・押入れ・靴箱・トイレ・冷蔵庫のどれか１つであることを特徴とする請求項１記載の衛生ＢＯＸ。
【請求項３】
タイマーＯＮを、ドア開放によるドアスイッチ及び／または人体感知センサーＯＮで作動させることを特徴とする請求項１又は２記載の衛生ＢＯＸ。
【請求項４】
タイマーＯＦＦを、ドア閉によるドアスイッチ及び／または人体感知センサーＯＦＦで作動させることを特徴とする請求項１，２又は３記載の衛生ＢＯＸ。
【考案の詳細な説明】
【技術分野】
【０００１】  本考案は、多目的に使用できる衛生ＢＯＸに関するものである。
【背景技術】
【０００２】  従来の技術としては、プラスチックからなる角型、筒状や球状体の内面空間に仕切り板を設け、紫外線（電磁波）を放射する紫外発光ダイオードを１個又は複数収納容器に対向させ、もう一方の内面空間は電源部電源スイッチ、タイマー回路を設けた靴殺菌脱臭具がある。（特許文献１参照）【０００３】  また、他の従来の技術として、便器表面に、結晶性酸化チタンとシリカを含有する層が形成されていることを特徴とする便器がある。（特許文献２参照）
【先行技術文献】
【特許文献】
【０００４】
【特許文献１】  特開２００４−１５９７２３号公報
【特許文献２】  特開平９−７８６６５号公報
【考案の概要】
【考案が解決しようとする課題】
【０００５】  上記前者の場合、紫外発光ダイオードをタイマーにてＯＮ・ＯＦＦし、電源スイッチにてＯＮ・ＯＦＦしている。
よって、暗い場所では使用しにくものである。【０００６】  上記後者の場合、トイレ内部ではなく、便器表面のみ酸化チタンをコーテングしてなるもので、便器のみ脱臭するものであり空間を脱臭することが出来ない。【０００７】  本考案は、上記問題点を解決するもので、色々なＢＯＸに使用でき、人体感知センサー・ドア開閉で紫外線ランプ及びタイマーのＯＮ・ＯＦＦを制御できるもので、使用場所や形態によってどちらか一方でＯＮ・ＯＦＦしてもよく、一方のスイッチが故障しても作動できるダブルチェック方式も可能である。
【課題を解決するための手段】
【０００８】本考案は、物品や人が出入りするドアを付設したＢＯＸに、人体感知センサー及び／またはドアスイッチを設けＢＯＸ内を消臭・殺菌力を有する酸化チタン等をコーテングすると共に、紫外線等を照射するランプ類を設け、タイマー等にて照射時間を設定してなること。また、ＢＯＸが、物置・押入れ・靴箱・トイレ・冷蔵庫のどれか１つであること。タイマーＯＮを、ドア開放によるドアスイッチ及び／または人体感知センサーＯＮで作動させること。タイマーＯＦＦを、ドア閉によるドアスイッチ及び／または人体感知センサーＯＦＦで作動させることを特徴とする。
【考案の効果】
【０００９】１）、人体感知センサーにて、紫外線ランプ等のＯＮ・ＯＦＦ及びタイマーのＯＮ・ＯＦＦを制御することにより、酸化チタン等への照射時間やタイミングを必要に応じて設定することで、目的別に使用できるものである。
２）、色々なＢＯＸ（物置・押入れ・靴箱・トイレ・冷蔵庫）に使用でき、消臭・鮮度・殺菌・防汚等の効果を有する。
３）、タイマーのＯＮ・ＯＦＦをドアの開閉や人体感知センサー各々単独で制御できると共に、２つでのダブルチェック方式も可能である。
【図面の簡単な説明】
【００１０】
【図１】  本考案の一実施例を示す衛生ＢＯＸのドアを閉じた斜視図。
【図２】  本考案の一実施例を示す衛生ＢＯＸのドアを開いた斜視図。
【図３】  本考案の一実施例を示す衛生ＢＯＸの作動フローチャート図。
【考案の実施するための形態】
【００１１】１は、衛生ＢＯＸである。
２は、物品を出し入れしてなるＢＯＸで、ドア２ａを２枚設けてある。
３は、上記ＢＯＸ２の天板２ｂに設けてなる人体感知センサーである。なお、ＢＯＸ２内に設けてもよい。
４は、上記ＢＯＸ２内面にコーテングしてなる酸化チタンである。
５は、上記ドア２ａ内に設けたドアスイッチである。
６は、紫外線ランプで、酸化チタン４に照射することにより強力な消臭力や殺菌力を発揮するものである。
７は、タイマー機能を設けてなるコントローラーである。
【００１２】  上記衛生ＢＯＸ１の使用例について説明する。
１）、人体感知センサー３が、人（図示せず）の近づきを一定の範囲内にて感知し、紫外線ランプ６をＯＮさせる。
また、ＢＯＸ２のトア２ａを開くことによりドアスイッチ５がＯＮさせ、紫外線ランプをＯＮさせる。
なお、どちらでＯＮさせるかは使用用途のよって決めればよく、すぐにＯＮさせるのではなく、コントローラー７のタイマーにて数秒遅らせてＯＮさせてもよい。
２）、つぎに、ＢＯＸ２内に物品（例えば靴等を入れる）を入れる。
３）、紫外線ランプ６の照射により、ＢＯＸ２内にコーテングした酸化チタン４の触媒作用により空気中の臭いを消臭すると共に、菌を殺菌する。
４）、ドア２ａを閉めることによりドアスイッチ５がＯＦＦになる。
また、ＢＯＸ２から人（図示せず）が離れることにより人体感知センサー６がＯＦＦになる。
５）、この時、タイマーが作動し、必要時間紫外線ランプ６をＯＮさせた状態で維持させる。
６）、必要な時間（タイマー）が来た時点で紫外線ランプ６をＯＦＦにさせる。
【００１３】  上記のような一つの制御の流れが考えられるが、特にタイマーのＯＮ・ＯＦＦ及び時間、また、人体感知センサー及びドアスイッチのＯＮ・ＯＦＦは必要に応じて決めるものである。
また、ＢＯＸは、物置・押入れ・色々考えられ特に限定するものではない。
【符号の説明】
【００１４】１−−−衛生ＢＯＸ
２−−−ＢＯＸ
３−−−人体感知センサー
４−−−酸化チタン
５−−−ドアスイッチ
６−−−紫外線ランプ
７−−−コントローラー
【図１】
0003160509.tif 000003
【図２】
0003160509.tif 000004
【図３】
0003160509.tif 000005
【手続補正書】
【提出日】平成22年4月2日(2010.4.2)
【手続補正１】
【補正対象書類名】実用新案登録請求の範囲
【補正対象項目名】全文
【補正方法】変更
【補正の内容】
【実用新案登録請求の範囲】
【請求項１】
物品や人が出入りするドアを付設したＢＯＸに人体感知センサー及び／またはドアスイッチを設け、ＢＯＸ内を消臭・殺菌能力を有する酸化チタンをコーテングすると共に、紫外線を照射するランプを設け、タイマーにて照射時間を設定してなることを特徴とする衛生ＢＯＸ。
【請求項２】
ＢＯＸが、物置・押入れ・靴箱・トイレ・冷蔵庫のどれか１つであることを特徴とする請求項１記載の衛生ＢＯＸ。
【請求項３】
タイマーＯＮを、ドア開放によるドアスイッチ及び／または人体感知センサーＯＮで作動させることを特徴とする請求項１又は２記載の衛生ＢＯＸ。
【請求項４】
タイマーＯＦＦを、ドア閉によるドアスイッチ及び／または人体感知センサーＯＦＦで作動させることを特徴とする請求項１，２又は３記載の衛生ＢＯＸ。